(57)【要約】【課題】薄手の樹脂製の袋を一枚ずつ取り出すことが可能であるとともに、残量が少なくなった場合であっても容易に袋を取り出すことが容易な袋の収容方法およびケース入り袋を提供することを目的としている。【解決手段】略直方体形状のケース本体２４内に、積層された複数枚の袋２２を収容するとともに、ケース本体２４を構成する上面２１および一長側面４４の２面に跨って形成された袋の取出し口３４から、袋２２を一枚ずつ取出す袋の収容方法であって、前記袋２２の開口部２２ａをケース本体２４の一長側面に向けて前記ケース本体２４内に収容し、さらに、取出し口３４を構成する一長側面４４の近傍に、芯材２８を立設したことを特徴とする。【選択図】図１
2014162537.tif 000002
【特許請求の範囲】
【請求項１】
略直方体形状のケース本体内に積層されている複数枚の袋を収容するとともに、前記ケース本体を構成する上面および一長側面の２面に跨って形成された袋の取出し口から、前記袋を一枚ずつ取り出すための袋の収容方法であって、
前記袋の開口部を前記ケース本体の前記一長側面に向けて前記ケース本体内に収容し、
さらに、前記取出し口を構成する前記一長側面の近傍に、前記袋の姿勢を保持する芯材を立設したことを特徴とする袋の収容方法。
【請求項２】
上面と一長側面との二面に跨って袋の取出し口が形成された略直方体形状のケース本体と、
積層された状態で前記ケース本体内に収容される複数枚の袋と、
前記袋の一部を立ち上げてその姿勢を保持する芯材と、を備え、
前記袋の開口部側の端部が、前記ケース本体の前記取出し口を構成する前記一長側面に向けて配置され、
前記芯材は、前記取出し口を構成する前記一長側面の近傍に立設されていることを特徴とするケース入り袋。
【請求項３】
前記複数枚の袋は、外袋に収納されていることを特徴とする請求項２に記載のケース入り袋。
【発明の詳細な説明】
【技術分野】
【０００１】
本発明は袋の収容方法およびケース入り袋に関する。
【背景技術】
【０００２】
例えば、ポリエチレン製の薄手の袋などは、複数枚が重ねられた状態で箱状のケース本体内に収容され、使用時に一枚ずつ取出されている（特許文献１）。
図６は、例えばポリ袋などのように、薄手の樹脂製の袋２が従来の収容方法により複数枚ケース本体内に収容されたケース入り袋１０を示したものである。
【０００３】
このケース入り袋１０は、複数枚の樹脂製の袋２をロール状に積層した積層体４と、積層体４の形状を保持する芯材６と、積層体４を収容するケース本体８とから構成され、芯材６とケース本体８とは厚手の紙により形成されている。
【０００４】
図６に示したように、袋２の積層体４が収容された従来のケース入り袋１０では、丸い姿勢に巻回された積層体４の間に、上側に膨出した芯材６を介在させることにより、積層体４の上面が取出し口１２に臨むように配置している。
【０００５】
ところで、このような従来のケース入り袋１０では、図７に示したように、取出し口１２から袋２を一枚ずつ取り出そうとしたときに、２枚の袋２、２が重なって取り出されてしまうことがあった。これは、２枚の袋２、２を掴んでしまったり、上位と下位の２枚の袋２、２を同時に引き上げてしまう場合とがある。
【０００６】
さらに、従来のケース入り袋１０では、ロール状の積層体４の残量が少なくなると、最上位の袋２が取出し口１２から低い位置に離れるため、袋２を掴み難くなる。
【先行技術文献】
【特許文献】
【０００７】
【特許文献１】特開２００９−９１０１５号公報
【発明の概要】
【発明が解決しようとする課題】
【０００８】
本発明は、このような実情に鑑み、例えば、薄手の樹脂製の袋をケース本体から一枚ずつ取り出すことが可能であるとともに、残量が少なくなってもケース本体から容易に取り出すことが容易な袋の収容方法およびケース入り袋を提供することを目的としている。
【課題を解決するための手段】
【０００９】
上記目的を達成するための本発明に係る袋の収容方法は、
略直方体形状のケース本体内に積層されている複数枚の袋を収容するとともに、前記ケース本体を構成する上面および一長側面の２面に跨って形成された袋の取出し口から、前記袋を一枚ずつ取り出すための袋の収容方法であって、
前記袋の開口部を前記ケース本体の前記一長側面に向けて前記ケース本体内に収容し、
さらに、前記取出し口を構成する前記一長側面の近傍に、前記袋の姿勢を保持する芯材を立設したことを特徴としている。
【００１０】
このような方法によれば、袋を引き上げる場合に、袋が１枚ずつにばらけ易い。したがって、２枚の袋を同時に引き上げてしまうことを可及的に防止することができる。また、袋をケース本体から取り出す場合に、封止されていない袋の開口部側の端部が、取出し動作を始めてから短時間のうちに外部に露出するので、仮に二枚の袋を引き上げてしまった場合には、その状態を直ちに確認することができる。よって、一枚のみを引き上げるように持ち方を修正することもできる。
【００１１】
また、本発明に係るケース入り袋は、
上面と一長側面との二面に跨って袋の取出し口が形成された略直方体形状のケース本体と、
積層された状態で前記ケース本体内に収容される複数枚の袋と、
前記袋の一部を立ち上げてその姿勢を保持する芯材と、を備え、
前記袋の開口部側の端部が、前記ケース本体の前記取出し口を構成する前記一長側面に向けて配置され、
前記芯材は、前記取出し口を構成する前記一長側面の近傍に立設されていることを特徴としている。
【００１２】
このようなケース入り袋によれば、複数枚の袋が蛇行した状態で収容されていることから、袋を一枚ずつ引き出す場合に、袋同士の摩擦力が小さく、袋の引き出しがスムースになる。
【００１３】
また、最上位の袋を掴んだ場合に、袋を構成する２枚のフィルムの、片側のみを摘まむことが容易になることから、２枚の袋ではなく、一枚の袋を引き上げ易くなる。さらに、前記袋の開口部側の端部が、ケース本体の取出し口を構成する一長側面に向いて配置されていることから、袋を少し引き出すことにより、１枚の袋か２枚の袋かを直ちに確認して、２枚の袋である場合は、１枚の袋を掴むように修正することもできる。
【００１４】
さらに、本発明では、前記複数枚の袋は、外袋に収納されていることが好ましい。
このように複数枚の袋が外袋に収容されていれば、取り扱いが容易であるとともに、袋を清潔に扱うことができる。
【発明の効果】
【００１５】
本発明に係る袋の収容方法によれば、例えば、薄手の樹脂製の袋を一枚ずつ容易に取り出すことができる。また、残量が少なくなっても、その袋を容易に取り出すことができる。
【００１６】
本発明に係るケース入り袋によれば、２枚の袋を同時に取り出してしまうことを防止できるとともに、残量が少なくなってもその袋を容易に取り出すことができる。
また、複数枚の袋が外袋に収容されているので、取り扱いが容易である。
【図面の簡単な説明】
【００１７】
【図１】図１は、本発明の一実施例に係る袋の収容方法により袋が収容されているケース入り袋の斜視図である。
【図２】図２は、図１のケース入り袋に収容されている、複数枚の袋と外袋とからなる積層体の斜視図である。
【図３】図３は、図２に示した袋の積層体をケース本体から取り出した状態の斜視図である。
【図４】図４は、一枚の袋の斜視図である。
【図５】図５は図１に示したケース入り袋から袋を取り出すときの概略断面図である。
【図６】図６は従来のケース入り袋の一部を開いて、内部に収容された積層体の収容状態を示した斜視図である。
【図７】図７は従来のケース入り袋から袋を取り出すときの概略断面図である。
【発明を実施するための形態】
【００１８】
以下、図面に示した好ましい実施の形態について説明する。
図１は本発明の一実施例に係るケース入り袋の斜視図で、図２は、ケース本体内に収容された積層体を展開した状態で示す斜視図である。
【００１９】
図１に示したように、ケース入り袋２０は、略直方体形状すなわち箱形状に形成された紙製のケース本体２４と、複数枚の袋２２からなる積層体２６と、積層体２６の一方側の端部に立設された断面Ｌ字状の紙製の芯材２８とから構成されている。
【００２０】
ケース本体２４は、テッシュペーパーを収容する汎用の箱体と同様に、上面２１に形成されたミシン目３０を切り開くことにより、覆い片３２を切除することができ、覆い片３２を切除することにより、ミシン目３０で囲まれた部分に同形状の取出し口３４を形成することができる。そして、このようなケース本体２４内に、袋２２の積層体２６が収容されている。
【００２１】
図２に示したように、袋２２の積層体２６は、樹脂製の外袋３６内に収容されている。
このような積層体２６は、箱型のケース本体２４内に収容される前に、図３に示したように、上下方向に蛇行した状態に折り畳まれ、外袋３６の一端部３６ａ側に、Ｌ字状の芯材２８が差し込まれる。なお、この芯材２８も、ケース本体２４と同様に、厚手の紙などにより形成されている。
【００２２】
ここで、「蛇行した状態」とは、サインカーブのように同じ方向への繰り返し姿勢であっても良く、あるいは、中央部に束ねるような姿勢であっても良い。いずれにせよ、積層体２６は屈曲した姿勢で収容されているので、積層体２６がケース本体２４内にコンパクトに収容されている。
【００２３】
図２および図４に示したように、外袋３６内に収容される複数枚の袋２２の開口部２２ａは、全て外袋３６の一端部３６ａ側に向けられている。換言すれば、袋２２の封止側端部２２ｂは、外袋３６の他端部３６ｂ側に配置されている。
【００２４】
これにより、袋２２の開口部２２ａは、図５に示したようにケース本体２４の一長側面４４に向けて配置されている。
本実施例によるケース入り袋２０は、上記のように構成されているが、以下に、袋の取出し方法について説明する。
【００２５】
今、積層体２６は、図１に示したように、上下方向に蛇行した状態でケース本体２４内に収容されている。なお、積層体２６を上下方向に蛇行させる場合に、外袋３６の他端部３６ｂ側は、図３に示したように上方に折り返されていても良く、あるいは、これと反対に、芯材２８の上面に対向するように下方に折り返えされていても良い。
【００２６】
袋２２を使用する使用者は、先ずケース本体２４のミシン目３０を切除し、ここに取出し口３４を露出させる。これにより、外袋３６の切り開かれたミシン目３８が露出するので、袋２２の取出しを可能とする。
【００２７】
この状態にセットしてから、使用者は、ケース本体２４の取出し口３４に指先を挿入し、外袋３６から袋２２を引っ張り上げる。
このとき、積層体２６の最上位に位置する袋２２は、図５の概略図に示したように、ケース本体２４の取出し口３４から、袋２２の山部５０が露出する。この山部５０と、袋の封止されていない開口部２２ａとは、短い距離にあるため、摘まみ上げるときに、指先を左右にずらすことにより、袋を構成する２枚のフィルムを容易にばらけさせることができる。これにより、手の感触で２枚の袋２２，２２、であるか、一枚の袋２２であることを確認できる。
【００２８】
なお、２枚以上のフィルムを掴んでいることに気づいた場合は、一旦袋から指先を離して、再度掴み直すことで、一枚とすることができる。
また、袋２２の取り出しが完了すると、次の袋２２が芯材２８により保持されているので、引き上げを容易に行うことができる。
【００２９】
以上、説明したように、本実施例に係る袋の収容方法によれば、積層体２６が、上下に蛇行するように折り畳まれているので、袋を一枚ずつ取出す場合に容易に取り出すことができる。
【００３０】
さらに、取り出し動作の途中で一枚の袋を２枚のフィルムにばらし易くなっているので、１枚の袋であることに気づき易い。
さらに、一枚の袋を取出した後、次の袋の取り出しが良好である。
また、袋の残量の多少にかかわらず、取出し作業性は良好である。
【符号の説明】
【００３１】
２０    ケース入り袋
２２    袋
２２ａ  袋の開口部
２２ｂ  袋の封止側端部
２４    ケース本体
２６    積層体
２８    芯材
３４    取出し口
３６    外袋
３６ａ  一端部
３６ｂ  他端部
３８    ミシン目
４４    一長側面
５０    山部
【図１】
2014162537.tif 000003
【図２】
2014162537.tif 000004
【図３】
2014162537.tif 000005
【図４】
2014162537.tif 000006
【図５】
2014162537.tif 000007
【図６】
2014162537.tif 000008
【図７】
2014162537.tif 000009